【事件の表示】
　特願２００６−５３３７５４「傾斜ヘッドクリーナ」拒絶査定不服審判事件〔平成１６年１２月２３日国際公開、ＷＯ２００４／１１０７６７、平成１９年　１月１８日国内公表、特表２００７−５００６３５〕について、次のとおり審決する。
【結　論】
　本件審判の請求は、成り立たない。
【理　由】
第１　手続の経緯　
　本願は、２００４年６月１１日（パリ条約による優先権主張外国庁受理２００３年６月１１日、米国）を国際出願日とする出願であって、平成１８年２月８日に翻訳文が提出され、平成１９年３月２８日及び平成２１年１２月２４日に手続補正がなされ、平成２２年４月１日付けで拒絶査定がなされ、これに対して、同年７月２０日に拒絶査定不服審判が請求されると同時に手続補正がなされたものである。
　なお、請求人は、当審における平成２２年１２月１日付け審尋に対して、平成２３年３月８日付けで回答書を提出している。
　
第２　平成２２年７月２０日付け手続補正についての補正却下の決定
　
〔補正却下の決定の結論〕
　平成２２年７月２０日付け手続補正を却下する。
　
〔理由〕
１　本件補正の内容
（１）平成２２年７月２０日付け手続補正（以下「本件補正」という。）は、特許請求の範囲及び発明の詳細な説明についてするものであって、特許請求の範囲については、本件補正前の請求項１に、
「複数のインクジェットヘッドが取り付けられているプリントバーと、該プリントバーとは別個の、ピボット運動するように取り付けられたクリーナとを有する、複数のインクジェットヘッドをクリーニングする装置において、
　前記プリントバーが印刷位置からクリーニング位置へピボット運動できるようにする第１のピボットカプリングを有し、前記クリーナは、前記クリーニング位置にある前記プリントバーに隣接したクリーニング位置へと、前記プリントバーとは独立して、ピボット運動することを特徴とする、インクジェットヘッドをクリーニングする装置。」とあったものを、
　
「複数のインクジェットヘッドが取り付けられているプリントバーと、該プリントバーとは別個の、ピボット運動するように取り付けられたクリーナとを有する、複数のインクジェットヘッドをクリーニングする装置において、
　前記プリントバーが印刷位置からクリーニング位置へピボット運動できるようにする第１のピボットカプリングを有し、前記クリーナは、前記クリーニング位置にある前記プリントバーに隣接したクリーニング位置へと、前記プリントバーとは独立して、ピボット運動
し、前記プリントバーは第１の支持部材にピボット運動するように固定され、前記クリーナは、前記クリーナが、前記クリーニング位置にある前記プリントバーに隣接したクリーニング位置からアイドル位置へと調節するのを可能にする第２の支持部材に、前記プリントバーとは独立して、ピボット運動するように連結されてい
　
（２）上記（１）の本件補正後の請求項１に係る補正は、本件補正前の請求項１に記載した発明を特定するために必要な事項である「プリントバー」及び「クリーナ」について、それぞれ、「第１の支持部材にピボット運動するように固定され」ていること及び「前記クリーナが、前記クリーニング位置にある前記プリントバーに隣接したクリーニング位置からアイドル位置へと調節するのを可能にする第２の支持部材に、前記プリントバーとは独立して、ピボット運動するように連結され」ていることを限定するものである。
　
２　本件補正の目的
　上記１（２）の本件補正後の請求項１に係る本件補正は、本件補正前の請求項１に記載した発明を特定するために必要な事項を限定するものであるから、平成１８年法律第５５号改正附則第３条第１項によりなお従前の例によるとされる同法による改正前の特許法第１７条の２第４項第２号の「特許請求の範囲の減縮」を目的とするものである。
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物の記載
（１）原査定の拒絶の理由に引用された「本願の優先日前に頒布された刊行物である特開２００３−１５４６８２号公報（以下「引用例１」という。）」には、次の事項が図とともに記載されている。
　ア　「【０００１】
【発明の属する技術分野】本発明は、
インクジェットにより記録を行なうヘッドと吐出回復手段とを備えるインクジェット記録装置
【０００２】
【従来の技術】一般に、ヘッドのノズル内でインクが凝固したり、或いはインクの粘度が高くなったりすると、インクの不吐出が発生して印字の掠れといった印字品位の低下を来すことから、
記録位置とは離れた箇所にインクの吐出を回復させる回復動作位置を設け、この回復動作位置にノズル内のインクを強制吸引する吐出回復手段を設ける一方、インクの回復動作位置と記録位置とに渡ってヘッドを移動自在とし、必要に応じてヘッドを回復動作位置へ移動させて、ノズル内のインクを強制吸引させることによってノズルの吐出機能を回復させる
　
　イ　「【００５３】
【発明の実施の形態】以下、図面に基づいて本発明の一実施の形態について説明する。図１〜図９に本発明によるインクジェット記録装置の第１実施の形態を示す。ここで、図１、図２は記録位置にセットされたインクジェット記録装置の側面図及び正面図、図３、図４は保守位置にセットされたインクジェット記録装置の側面図及び正面図である。
【００５４】同図に示すように、インクジェット記録装置の記録部には、搬送手段としての一対の搬送ローラ２ａ，２ｂが、図の上下方向に所定間隔を開けて横設されており、この搬送ローラ２ａ，２ｂ間に記録領域３が設けられている。両搬送ローラ２ａ，２ｂには、ウェブ状の記録媒体１が、装置下方に配設されている供給部（図示せず）より供給される。この記録媒体１は、搬送ローラ２ｂに対して後方から供給され、この搬送ローラ２ａに支持されて、その搬送方向を略垂直方向へ変換されて、上方に配設されている他方の搬送ローラ２ｂに支持され、搬送方向が略水平方向へ転換されて、後方へ排出される。
【００５５】一対の搬送ローラ２ａ，２ｂ間に記録領域３が設けられており、この
記録領域３に臨まされる記録媒体１の前方に、
記録を行なうＹＭＣＫ各色のヘッド４Ｙ，４Ｍ，４Ｃ，４Ｋが対設されており、この各ヘッド４Ｙ，４Ｍ，４Ｃ，４Ｋがヘッドユニット５によって保持されて
【００５６】尚、本実施の形態では、１つのヘッドユニットに複数のヘッドが保持されている例を示したが、１つのヘッドユニットに１つのヘッドが保持される構成であっても適用することは可能である。
【００５７】一方、
各ヘッド４Ｙ，４Ｍ，４Ｃ，４Ｋに対し記録媒体１を挟む反対側に、プラテン６が配設されて
【００５８】又、
ヘッドユニット５の図面上部には、このヘッドユニット５を回動可能に支持する回動軸７が横設されて
回動軸７は、ヘッドユニット５を、図１に示す記録位置と図３に示す保守位置との間を回動させるもので、記録媒体１と平行で、且つ記録媒体１の幅(水平)方向に沿って配設されていると共に、その一端がモータ等のヘッドユニット回動手段８に連設されてい
【００５９】又、
ヘッドユニット５が保守位置にセットされると、各ヘッド４Ｙ，４Ｍ，４Ｃ，４Ｋのインク吐出方向が略垂直下向きとな
【００６０】又、図１、図２に示すように、
記録位置にセットされているヘッドユニット５の図面下方に、吐出回復手段１０が配置されており、この吐出回復手段１０の上面に、各ヘッド４Ｙ，４Ｍ，４Ｃ，４Ｋのインク吐出面を覆いインク吐出口を密封可能なキャップ手段１１が設けられて
吐出回復手段１０は、略垂直方向へ延出する送りねじ１２ａと、この送りねじ１２ａに連設するモータ１３と、吐出回復手段１０を昇降自在に支持するガイド手段１２ｂとから成る変位手段１４に連設されて
【００６１】この
吐出回復手段１０は、ヘッドユニット５が記録位置にセットされているときは、その下方の待機位置（図１等参照）で待機状態にあり、一方、ヘッドユニット５が保守位置にセットされると、上昇して、図８（側面図）及び図９（正面図）に示すように、各ヘッド４Ｙ，４Ｍ，４Ｃ，４Ｋに当接する回復動作位置にセットされ、ノズル内のインクを強制吸引して、ノズルのインク吐出を回復させる
【００６２】図５〜図７に示すように、ヘッドユニット５に保持されている各ヘッド４Ｙ，４Ｍ，４Ｃ，４Ｋが、対応する色の記録用インクを各々貯留するインク貯留手段１５Ｙ，１５Ｍ，１５Ｃ，１５Ｋにインク供給路１７Ｙ，１７Ｍ，１７Ｃ，１７Ｋを介して接続されている。この各インク供給路１７Ｙ，１７Ｍ，１７Ｃ，１７Ｋには、ポンプ１６が介装されており、このポンプ１６の駆動により、各インク貯留手段１５Ｙ，１５Ｍ，１５Ｃ，１５Ｋに貯留されているインクが、各ヘッド４Ｙ，４Ｍ，４Ｃ，４Ｋに供給される。
【００６３】各インク貯留手段１５Ｙ，１５Ｍ，１５Ｃ，１５Ｋから各々延出するインク供給路１７Ｙ，１７Ｍ，１７Ｃ，１７Ｋは、回動軸７の一端部方向へ立ち上げられた後、ヘッドユニット５の上部に設けられている回動軸７の方向へ屈曲されて、ヘッドユニット５の上部表面に沿って配設された後、再び屈曲されて各ヘッド４Ｙ，４Ｍ，４Ｃ，４Ｋに分岐接続される。
【００６４】ヘッドユニット５の上部に配設された各インク供給路１７Ｙ，１７Ｍ，１７Ｃ，１７Ｋは、その中途が、ヘッドユニット５の端部近傍と屈曲部近傍に固設されているクランプ１８にて係止されている。
【００６５】尚、図６に示すように、各インク貯留手段１５Ｙ，１５Ｍ，１５Ｃ，１５Ｋは、ヘッドユニット５に対し、ヘッドユニット回動手段８の突出されている方向とは反対側に配設されている。
【００６６】このように、
インク供給路１７Ｙ，１７Ｍ，１７Ｃ，１７Ｋは、ヘッドユニット５に対し、このヘッドユニット５の回動に拘わらず位置を変えることのない回動軸７近傍で一度係止された後、この回動軸７に沿ってヘッドユニット５の外方へ引き出されるようにしたので、ヘッドユニット５が記録位置と保守位置との間を回動しても、インク供給路１７Ｙ，１７Ｍ，１７Ｃ，１７Ｋがヘッドユニット５から浮き上がってしまうことがなく、又、ヘッドユニット５の移動を確保する余分なたるみを、インク供給路１７Ｙ，１７Ｍ，１７Ｃ，１７Ｋに保有させる必要もな
【００６７】
更に、インク供給路１７Ｙ，１７Ｍ，１７Ｃ，１７Ｋが、ヘッドユニット回動手段８とは反対側に立ち上げられているため、このインク供給路１７Ｙ，１７Ｍ，１７Ｃ，１７Ｋが、ヘッドユニット回動手段８の回転部等の駆動伝達部と干渉することがなく、回動動作に支障を来すことがない
【００６８】このように、本実施の形態によれば、インク供給路１７Ｙ，１７Ｍ，１７Ｃ，１７Ｋは、ヘッドユニット５のいかなる動きに対しても、浮き上がることなく追従することができ、又、周辺のユニットと干渉することもないので、各ヘッド４Ｙ，４Ｍ，４Ｃ，４Ｋに対して、インクを安定供給することが可能となる。
【００６９】本実施の形態では、ヘッド周りのインク供給系を例に説明したが、これに限定するものではない。例えば、メンテナンスのための噴射や、吸引等により、吐出回復系で生じる廃インクを処理するインク処理系、或いは、インク容器の着脱部等においても、回動する部位と静止した部位間でインクを流す構成であれば、適用することによって同様の効果が得られる。
【００７０】又、インクに限らず、あらゆる流体（例えば、負圧や正圧発生のための空気や洗浄液を流すためのチューブ等）、センサやヘッド駆動のための信号線などに適用しても同様の効果が得られるのは明らかである。」
　
　ウ　上記ア及びイから、引用例１には、次の発明が記載されているものと認められる。
「インクジェットにより記録を行なうヘッドを備えるインクジェット記録装置の記録位置とは離れた箇所にインクの吐出を回復させる回復動作位置を設け、該回復動作位置にノズル内のインクを強制吸引する吐出回復手段を設ける一方、前記回復動作位置と前記記録位置とに渡ってヘッドを移動自在とし、必要に応じてヘッドを回復動作位置へ移動させて、ノズル内のインクを強制吸引させることによってノズルの吐出機能を回復させる装置において、
　記録領域に臨まされる記録媒体の前方に、記録を行なうＹＭＣＫ各色のヘッドが対設され、
　前記各ヘッドがヘッドユニットによって保持されており、
　各ヘッドに対し前記記録媒体を挟む反対側に、プラテンが配設されており、
　前記ヘッドユニットの上部には、該ヘッドユニットを回動可能に支持する回動軸が横設されており、
　前記回動軸は、前記ヘッドユニットを、前記記録位置と保守位置との間を回動させるもので、前記記録媒体と平行で、且つ前記記録媒体の幅方向である水平方向に沿って配設されていると共に、その一端がモータ等のヘッドユニット回動手段に連設されており、
　前記ヘッドユニットが前記保守位置にセットされると、各ヘッドのインク吐出方向が略垂直下向きとなり、
　前記記録位置にセットされている前記ヘッドユニットの下方に、前記吐出回復手段が配置されており、
　前記吐出回復手段の上面には、各ヘッドのインク吐出面を覆いインク吐出口を密封可能なキャップ手段が設けられており、
　前記吐出回復手段は、略垂直方向へ延出する送りねじと、該送りねじに連設するモータと、該吐出回復手段を昇降自在に支持するガイド手段とから成る変位手段に連設されており、
　前記ヘッドユニットが前記記録位置にセットされているときは、前記吐出回復手段は、その下方の待機位置で待機状態にあり、一方、前記ヘッドユニットが前記保守位置にセットされると、前記吐出回復手段は、上昇して、各ヘッドに当接する回復動作位置にセットされ、ノズル内のインクを強制吸引して、ノズルのインク吐出を回復させるようになっており、
　複数のインク供給路が、前記ヘッドユニットに対し、該ヘッドユニットの回動に拘わらず位置を変えることのない回動軸近傍で一度係止された後、該回動軸に沿って前記ヘッドユニットの外方へ引き出されるようにして、前記ヘッドユニットが前記記録位置と前記保守位置との間を回動しても、前記インク供給路の各々が前記ヘッドユニットから浮き上がってしまうことがなく、又、前記ヘッドユニットの移動を確保する余分なたるみを、各インク供給路に保有させる必要もないようにするとともに、各インク供給路が、前記ヘッドユニット回動手段とは反対側に立ち上げられて、前記ヘッドユニット回動手段の回転部等の駆動伝達部と干渉することがなく、回動動作に支障を来すことがないようにした、ノズルの吐出機能を回復させる装置。」（以下「引用発明１」という。）
　
（２）原査定の拒絶の理由に引用された「本願の優先日前に頒布された刊行物である特開２０００−６２１５１号公報（以下「引用例２」という。）」には、次の事項が図とともに記載されている。
　ア　「【００３３】プリントヘッド２に関して軸６３０とは反対側において、
軸８０により揺動可能に支持されたインク吸引部８
略９０°揺動し、実線で示す退避状態となる姿勢と、２点鎖線で示すインク吸引状態となる姿勢のいずれかをとるようになっている
　
　イ　上記アから、引用例２には、次の発明が記載されているものと認められる。
「略９０°揺動し、退避状態となる姿勢と、インク吸引状態となる姿勢のいずれかをとるようになっているインク吸引部であって、軸により揺動可能に支持されているインク吸引部。」（以下「引用発明２」という。）
　
４　対比
　本願補正発明と引用発明１とを対比する。
（１）引用発明１の「ヘッド」、「記録を行なうＹＭＣＫ各色のヘッド」、「ヘッドユニット」、「吐出回復手段」、「『吐出回復手段』が『各ヘッドに当接する回復動作位置にセットされ、ノズル内のインクを強制吸引して、ノズルのインク吐出を回復させるようになって』いる『ノズルの吐出機能を回復させる装置』」、「記録位置」、「保守位置」、「回動」、「『前記ヘッドユニットが前記保守位置にセットされる』と、『吐出回復手段』が『上昇』して『セット』される『各ヘッドに当接』する『回復動作位置』」、「『前記ヘッドユニットが前記記録位置にセットされている』とき、『前記吐出回復手段』が『待機状態』にある『その下方の待機位置』」及び「変位手段」は、それぞれ、本願補正発明の「インクジェットヘッド」、「複数のインクジェットヘッド」、「プリントバー」、「クリーナ」、「複数のインクジェットヘッドをクリーニングする装置」、「印刷位置」、「クリーニング位置」、「ピボット運動」、「クリーニング位置にある前記プリントバーに隣接したクリーニング位置」、「アイドル位置」及び「第２の支持部材」に相当する。
　
（２）引用発明１の「複数のインクジェットヘッド（記録を行なうＹＭＣＫ各色のヘッド）」は「プリントバー（ヘッドユニット）」によって保持されているから、引用発明１の「プリントバー」と本願補正発明の「プリントバー」とは「複数のインクジェットヘッドが取り付けられている」点で一致する。
　
（３）引用発明１の「クリーナ（吐出回復手段）」は、「プリントバー（ヘッドユニット）」が記録位置にセットされているときは、その下方の待機位置で待機状態にあり、一方、前記「プリントバー」が保守位置にセットされると、上昇して、各ヘッドに当接する回復動作位置にセットされるから、引用発明１の「クリーナ」と本願補正発明の「クリーナ」とは「該プリントバーとは別個の」ものである点で一致する。
　
（４）引用発明１の「複数のインクジェットヘッドをクリーニングする装置（ノズルの吐出機能を回復させる装置）」は、「プリントバー（ヘッドユニット）」により「複数のインクジェットヘッド（記録を行なうＹＭＣＫ各色のヘッド）」を保持し、「クリーナ（吐出回復手段）」が、「複数のインクジェットヘッド」に当接する回復動作位置にセットされ、ノズル内のインクを強制吸引して、ノズルのインク吐出を回復させるようになっているから、引用発明１の「複数のインクジェットヘッドをクリーニングする装置」と本願補正発明の「複数のインクジェットヘッドをクリーニングする装置」とは「プリントバーとクリーナとを有する」点で一致する。
　
（５）引用発明１において、「クリーナ（吐出回復手段）」は「第２の支持部材（変位手段）」に連設されており、上昇して、各ヘッドに当接する「クリーニング位置（回復動作位置）」にセットされるところ、「第２の支持部材（変位手段）」に連設された「クリーナ」は、反対に、下降して、元の「アイドル位置（待機位置）」に戻り待機状態に復帰できることが当業者に自明である。
　したがって、引用発明１の「前記ヘッドユニットの上部には、該ヘッドユニットを回動可能に支持する回動軸が横設されており、前記回動軸は、前記ヘッドユニットを、前記記録位置と保守位置との間を回動させるもので、前記記録媒体と平行で、且つ前記記録媒体の幅方向である水平方向に沿って配設されていると共に、その一端がモータ等のヘッドユニット回動手段に連設されており、前記ヘッドユニットが前記記録位置にセットされているときは、前記吐出回復手段は、その下方の待機位置で待機状態にあり、一方、前記ヘッドユニットが前記保守位置にセットされると、前記吐出回復手段は、上昇して、各ヘッドに当接する回復動作位置にセットされ、ノズル内のインクを強制吸引して、ノズルのインク吐出を回復させるようになって」いることと、本願補正発明の「前記プリントバーが印刷位置からクリーニング位置へピボット運動できるようにする第１のピボットカプリングを有し、前記クリーナは、前記クリーニング位置にある前記プリントバーに隣接したクリーニング位置へと、前記プリントバーとは独立して、ピボット運動し、前記プリントバーは第１の支持部材にピボット運動するように固定され、前記クリーナは、前記クリーナが、前記クリーニング位置にある前記プリントバーに隣接したクリーニング位置からアイドル位置へと調節するのを可能にする第２の支持部材に、前記プリントバーとは独立して、ピボット運動するように連結されていること」とは、上記（１）に照らせば、「前記プリントバーが印刷位置からクリーニング位置へピボット運動できるようにするとともに、前記クリーナは、前記クリーニング位置にある前記プリントバーに隣接したクリーニング位置へと、前記プリントバーとは独立して運動し、前記プリントバーはピボット運動するように固定され、前記クリーナは、前記クリーナが、前記クリーニング位置にある前記プリントバーに隣接したクリーニング位置からアイドル位置へと調節するのを可能にする第２の支持部材に、前記プリントバーとは独立して運動するように連結されている」点で一致する。
　
（６）上記（１）ないし（５）によれば、本願補正発明と引用発明１とは、
「複数のインクジェットヘッドが取り付けられているプリントバーと、該プリントバーとは別個のクリーナとを有する、複数のインクジェットヘッドをクリーニングする装置において、
　前記プリントバーが印刷位置からクリーニング位置へピボット運動できるようにするとともに、前記クリーナは、前記クリーニング位置にある前記プリントバーに隣接したクリーニング位置へと、前記プリントバーとは独立して運動し、前記プリントバーはピボット運動するように固定され、前記クリーナは、前記クリーナが、前記クリーニング位置にある前記プリントバーに隣接したクリーニング位置からアイドル位置へと調節するのを可能にする第２の支持部材に、前記プリントバーとは独立して運動するように連結されている、インクジェットヘッドをクリーニングする装置。」である点で一致し、次の点で相違する。
　
相違点１：
　前記プリントバーが印刷位置からクリーニング位置へピボット運動できるようにする手段が、本願補正発明では、前記プリントバーを「第１の支持部材」にピボット運動するように固定する「第１のピボットカプリング」であるのに対して、引用発明１では、前記プリントバーを固定する部材も、ピボット運動するように固定する手段も不明である点。
　
相違点２：
　前記クリーナは、本願補正発明では、ピボット運動するものであり、ピボット運動するように取り付けられたものであり、かつ、第２の支持部材にピボット運動するように連結されているものであるのに対して、引用発明１では、昇降自在なものであり、ガイド手段に昇降自在に支持され、かつ、変位手段に連設されているものである点。
　
５　判断
　上記相違点１及び２について検討する。
（１）相違点１について
　ア　物体を回動自在に支持する手段として、回転軸をハウジングなどの支持部材で玉軸受などの軸受を介して支持することは、本願の優先日前に周知である（以下「周知技術」という。例．特開昭６４−７９４１４号公報（１頁右下欄２〜４行参照。）、特開平２−２７１１０７号公報（１頁左下欄６〜７行参照。）、登録実用新案第３０５４２０８号公報（３頁８〜９行及び同頁２０〜２１行参照。））。
　
　イ　引用発明１において、前記プリントバーが印刷位置からクリーニング位置へピボット運動できるようにする手段として、ハウジングなどの支持部材に固定した玉軸受などの軸受を採用し、引用発明１の前記ヘッドユニットの上部に横設されているる回動軸を上記軸受を介してハウジングなどの支持部材で支持するようにすることは、当業者が周知技術に基づいて容易になし得た程度のことである。
　
　ウ　上記イの「回転軸及び軸受」は、本願補正発明の「第１のピボットカプリング」に相当し、上記イの「ハウジングなどの支持部材」は、本願補正発明の「第１の支持部材」に相当するから、引用発明１において、上記相違点１に係る本願補正発明の構成となすことは、上記イからみて、当業者が周知技術に基づいて容易になし得た程度のことである。
　
（２）相違点２について
　ア　引用例２には「略９０°揺動し、退避状態となる姿勢と、インク吸引状態となる姿勢のいずれかをとるようになっているインク吸引部であって、軸により揺動可能に支持されているインク吸引部。」である引用発明２が記載されている（上記３（２）参照。）。
　
　イ　引用発明１では、「プリントバー（ヘッドユニット）」を「印刷位置（記録位置）」と「クリーニング位置（保守位置）」との間で移動させる手段として、一端がモータ等のヘッドユニット回動手段に連設されている回動軸を用いるのに対して、「クリーナ（吐出回復手段）」を待機位置と「クリーニング位置にある前記プリントバーに隣接したクリーニング位置（回復動作位置）」との間で移動させる手段としては、略垂直方向へ延出する送りねじと、該送りねじに連設するモータと、該吐出回復手段を昇降自在に支持するガイド手段とから成る「第２の支持部材（変位手段）」を用いているところ、引用発明１において、上記「クリーナ」を待機位置と「クリーニング位置にある前記プリントバーに隣接したクリーニング位置」との間で移動させる手段を、引用発明１のヘッドユニットを記録位置と保守位置との間で移動させる手段や引用発明２のインク吸引部を略９０°揺動させる手段と同様に回動させる手段となし、その待機位置を上記「クリーナ」が上記「クリーニング位置にある前記プリントバーに隣接したクリーニング位置」から略９０°揺動して退避状態の姿勢となる位置とし、前記「第２の支持部材」を、前記「クリーナ」が前記「クリーニング位置にある前記プリントバーに隣接したクリーニング位置」から略９０°揺動して退避状態の姿勢となる位置へと調節するのを可能にするものとして、そのようにした該「第２の支持部材」に前記「クリーナ」を「ピボット運動（回動）」するように連結することは、当業者が引用発明２に基づいて適宜なし得た程度のことである。
　そして、「クリーナがクリーニング位置にあるプリントバーに隣接したクリーニング位置から略９０°揺動して退避状態の姿勢となる位置」とした上記「待機位置」も本願補正発明の「アイドル位置」に相当するから、引用発明１において、上記相違点２に係る本願補正発明の構成となすことは、当業者が引用発明２に基づいて適宜なし得た程度のことである。
　
（３）効果について
　本願補正発明の奏する効果は、引用発明１の奏する効果、引用発明２の奏する効果及び周知技術の奏する効果から当業者が予測できた程度のものである。
　
（４）まとめ
　以上のとおりであるから、本願補正発明は、当業者が引用例１に記載された発明、引用例２に記載された発明及び周知技術に基づいて容易に発明をすることができたものである。
　したがって、本願補正発明は、特許法第２９条第２項の規定により特許出願の際独立して特許を受けることができないものである。
　
６　小括
　以上のとおり、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１ないし１５に係る発明は、平成２１年１２月２４日付け手続補正により補正された特許請求の範囲の請求項１ないし１５に記載された事項によって特定されるものであるところ、請求項１に係る発明（以下「本願発明」という。）は、平成２１年１２月２４日付け手続補正により補正された特許請求の範囲、明細書及び図面の記載からみて、上記「第２〔理由〕１（１）」に本件補正前の請求項１として記載したとおりのものである。
　
２　引用例
　原査定の拒絶の理由に引用された引用例及びその記載事項は、前記「第２〔理由〕３」に記載したとおりである。
　
３　対比・判断　
　上記「第２〔理由〕２」で述べたとおり、本願補正発明は、本願発明を特定するために必要な事項について限定を付加したものに相当する。
　そうすると、本願発明の構成要件をすべて含みさらに限定を付加したものに相当する本願補正発明が、前記「第２〔理由〕５」に記載したとおり、当業者が引用例１に記載された発明、引用例２に記載された発明及び周知技術に基づいて容易に発明をすることができたものであるから、本願発明も同様の理由により、当業者が引用例１に記載された発明、引用例２に記載された発明及び周知技術に基づいて容易に発明をすることができたものである。
　
４　むすび
　本願発明は、当業者が引用例１に記載された発明、引用例２に記載された発明及び周知技術に基づいて容易に発明をすることができたものであるから、特許法第２９条第２項の規定により特許を受けることができない。
　よって、結論のとおり審決する。